(57)【要約】【課題】居室内の居住空間に充分な量のイオンを拡散させることのできる冷蔵庫を提供する。【解決手段】冷蔵室２の上方に配されるイオン送出ユニット２０は開口部９が前面に開口し、吸気口６ａから外気を取り込んで排気口６ｂから送出する送風機６と、開口部９に臨み送風機６の送出した空気を開口部９に導くとともに排気口６ｂから前方へ行くほど左右方向に広がる送風経路１１と、送風経路１１にイオンを放出するイオン発生装置５と、開口部９に配されて送風経路１１を流通する空気の風向を左右方向に可変する複数の風向板１２とを備え、冷蔵庫１の左方に居室内の壁面Ｗが近接する場合に、開口部９の右側の風向板１２を左右方向の外側に向けてイオンを導くように配置し、左側の風向板１２を正面に向けてイオンを導くように配置できるようにした。【選択図】図３
2008196844.tif 000002
【特許請求の範囲】
【請求項１】
冷蔵庫本体の前面側に開口する開口部と、
吸気口から外気を取り込んで排気口から送出する送風機と、
前記吸気口の上流側であって前記送風機の側方に設けられて塵埃を捕集するフィルターと、
前記開口部に臨み前記送風機の送出した空気を前記開口部に導くとともに前記排気口から前方へ行くほど左右方向に広がる送風経路と、
前記送風経路にイオンを放出するイオン発生装置と、
前記開口部に配されて前記送風経路を流通する空気の風向を左右方向に可変する複数の風向板とを備えたイオン送出ユニットを、貯蔵物を貯蔵する貯蔵室の上方に配し、
前記風向板は前記開口部から左右方向の少なくとも一方の外側に向けてイオンを導くことを特徴とする冷蔵庫。
【請求項２】
前記イオン送出ユニットの背面側に形成されて後方から外気を取り入れる吸込口と、
前記開口部の後方に配されて前記送風機及び前記フィルターを内装したハウジングと、
前記ハウジングの一方側方に形成されて前記吸込口に連通する空気流入口と、
を備え、前記フィルターを前記空気流入口の近傍に配置し、
前記吸気口を前記送風機の下方に設けるとともに前記排気口を前記送風機の前方に設け、
前記送風機の駆動によって前記空気流入口から流入した空気は、前記フィルターを上方から下方に通過し、前記フィルターの下方から前記吸気口に導かれて前記吸気口から前記送風機の軸方向に吸気されて前記排気口から前記送風機の周方向に排気されることを特徴とする請求項１に記載の冷蔵庫。
【請求項３】
前記イオン発生装置を前記送風経路に臨ませ、前記送風機から前記イオン発生装置に向かうほど前記送風経路の下壁が上方になるように傾斜させて前記送風経路の上下方向の幅を狭めたことを特徴とする請求項１または請求項２に記載の冷蔵庫。
【請求項４】
前記イオン発生装置の下流側では前記送風経路が前方へ行くほど下方になるように形成されることを特徴とする請求項１から請求項３のいずれかに記載の冷蔵庫。
【請求項５】
冷蔵庫の一方側方が居室内の壁面に近接して配置される場合には、前記開口部の両端に設けた前記風向板のうち冷蔵庫の他方側方側の風向板を左右方向の外側に向けてイオンを導くように配置するとともに、冷蔵庫の一方側方側の前記風向板を正面に向けてイオンを導くように配置し、
冷蔵庫の側方に居室内の壁面がない場合には、前記開口部の両端に設けた前記風向板を前記開口部から左右方向の外側に向けてイオンを導くように配置することを特徴とする請求項１から請求項４のいずれかに記載の冷蔵庫。
【発明の詳細な説明】
【技術分野】
【０００１】
本発明は、冷蔵庫に関し、特に居室内にイオンを送出する冷蔵庫に関する。
【背景技術】
【０００２】
特許文献１には居室内にイオンを送出する空気調和機が開示されている。この空気調和機はイオン発生装置を備え、送風経路内にイオンを放出して温度調節された空気とともに吹出口からイオンが居室内に送出される。これにより、居室内にプラスイオン及びマイナスイオンを送出して微生物等の浮遊菌を殺菌することやマイナスイオンを送出してリラクゼーション効果を得ることができるようになっている。
【特許文献１】特開２００２−２４３２４３号公報（第３頁−第６頁、第３図）
【発明の開示】
【発明が解決しようとする課題】
【０００３】
上記の空気調和機によると、空気調和機の奥行が狭くイオン発生装置と吹出口との距離が近くなるため、イオンが左右方向に充分広がらずに送出される。これにより、居室内にイオンを充分拡散させることが困難であった。このため、奥行の長い冷蔵庫の上部にイオン発生装置を設け、イオンを左右方向に広がるように流通させて吹出口から左右方向に広く居室内に送出するものが考えられている。
【０００４】
図１２はこの冷蔵庫を示す上面断面図である。冷蔵庫１の上端にはイオン送出ユニット２０が配置されている。イオン送出ユニット２０の前面側には開口部９が設けられる。開口部９の後方にはシロッコファンから成る送風機６が配され、送風機６の排気口（不図示）から開口部９に向かって前方へ行くほど左右方向に広がった送風経路１１が設けられる。
【０００５】
送風機６に近接した前方には送風経路１１にイオンを放出するイオン発生装置５が設けられている。送風機６の吸気側には後方からイオン送出ユニット２０内に外気を取り入れる吸込口８が形成され、吸込口８と送風機６との間には塵埃を捕集するフィルター７が設けられている。
【０００６】
送風機６を駆動すると吸込口８から外気が取り入れられ、フィルター７により塵埃が除去される。塵埃を除去した空気は送風機６に軸方向から流入して周面の排気口から排気される。送風機６から排気された空気は送風経路１１内を左右方向に広がりながら流通する。
【０００７】
イオン発生装置５を駆動すると、送風経路１１内にイオンが放出される。これにより、送風経路１１を流通する空気にイオンが含まれ、開口部９から居室内にイオンを含んだ空気が送出される。従って、奥行の長い送風経路１１を左右方向に広がって流通する空気によりイオンを拡散して居室内に送出できるようになっている。
【０００８】
しかしながら、冷蔵庫１は一般に一方側面を居室内の壁面に近接して配置される。このため、上記の冷蔵庫１によると、壁面の方向に送出されるイオンが壁面に沿って流通して居室内の居住空間に充分イオンが流通しなくなる。また、イオンが壁面に衝突して消失し、居室内に拡散されるイオンの量が減少する。このため、殺菌効果やリラクゼーション効果を充分得ることができない問題があった。
【０００９】
本発明は、居室内の居住空間に充分な量のイオンを拡散させることのできる冷蔵庫を提供することを目的とする。
【課題を解決するための手段】
【００１０】
上記目的を達成するために本発明は、
冷蔵庫本体の前面側に開口する開口部と、
吸気口から外気を取り込んで排気口から送出する送風機と、
前記吸気口の上流側であって前記送風機の側方に設けられて塵埃を捕集するフィルターと、
前記開口部に臨み前記送風機の送出した空気を前記開口部に導くとともに前記排気口から前方へ行くほど左右方向に広がる送風経路と、
前記送風経路にイオンを放出するイオン発生装置と、
前記開口部に配されて前記送風経路を流通する空気の風向を左右方向に可変する複数の風向板とを備えたイオン送出ユニットを、貯蔵物を貯蔵する貯蔵室の上方に配し、
前記風向板は前記開口部から左右方向の少なくとも一方の外側に向けてイオンを導くことを特徴としている。
【００１１】
この構成によると、送風機の駆動により吸気口から外気が取り込まれ、排気口から送出される空気が送風経路を流通する。イオン発生装置が駆動されると送風経路内にイオンが放出される。送風経路は送風機の排気口から前方へ行くほど左右方向に広がっており、イオンを含んだ空気は左右方向に広がって開口部から居室内に送出される。この時、開口部に設けた風向板によってイオンを含んだ空気は送出方向が可変される。開口部の両端の風向板の向きをそれぞれ可変することによって、例えば、開口部の一端から送出されるイオンを含んだ空気は左右方向の外側に導かれ、他端から送出されるイオンを含んだ空気は正面に導かれる。
【００１２】
また本発明は、上記構成の冷蔵庫において、
前記イオン送出ユニットの背面側に形成されて後方から外気を取り入れる吸込口と、
前記開口部の後方に配されて前記送風機及び前記フィルターを内装したハウジングと、
前記ハウジングの一方側方に形成されて前記吸込口に連通する空気流入口と、
を備え、前記フィルターを前記空気流入口の近傍に配置し、
前記吸気口を前記送風機の下方に設けるとともに前記排気口を前記送風機の前方に設け、
前記送風機の駆動によって前記空気流入口から流入した空気は、前記フィルターを上方から下方に通過し、前記フィルターの下方から前記吸気口に導かれて前記吸気口から前記送風機の軸方向に吸気されて前記排気口から前記送風機の周方向に排気されることを特徴としている。
【００１３】
また本発明は、上記構成の冷蔵庫において、前記イオン発生装置を前記送風経路に臨ませ、前記送風機から前記イオン発生装置に向かうほど前記送風経路の下壁が上方になるように傾斜させて前記送風経路の上下方向の幅を狭めたことを特徴としている。
【００１４】
また本発明は、上記構成の冷蔵庫において、前記イオン発生装置の下流側では前記送風経路が前方へ行くほど下方になるように形成されることを特徴としている。
【００１５】
また本発明は、上記構成の冷蔵庫において、
冷蔵庫の一方側方が居室内の壁面に近接して配置される場合には、前記開口部の両端に設けた前記風向板のうち冷蔵庫の他方側方側の風向板を左右方向の外側に向けてイオンを導くように配置するとともに、冷蔵庫の一方側方側の前記風向板を正面に向けてイオンを導くように配置し、
冷蔵庫の側方に居室内の壁面がない場合には、前記開口部の両端に設けた前記風向板を前記開口部から左右方向の外側に向けてイオンを導くように配置することを特徴としている。
【００１６】
この構成によると、送風機の駆動により吸気口から外気が取り込まれて排気口から送出される空気は送風経路を流通する。イオン発生装置が駆動されると送風経路内にイオンが放出される。送風経路は送風機の排気口から前方へ行くほど左右方向に広がっており、イオンを含んだ空気は左右方向に広がって開口部から居室内に送出される。この時、開口部に設けた風向板によってイオンを含んだ空気は送出方向が可変される。
【発明の効果】
【００１７】
本発明によると、奥行の長い冷蔵庫の上部に設けた送風経路によって左右方向に広がってイオンが開口部から送出され、居室内にイオンを拡散できる。また、開口部の両端に設けた風向板の一方を左右方向の外側に向けてイオンを導くように配置して他方を正面に向けてイオンを導くように配置できるので、側方に壁面があっても壁面のある側の風向板を正面に向けて壁面に向かうイオンの送出を規制することができる。従って、壁面に沿って流通するイオンや壁面と衝突して消滅するイオンを低減するとともに、壁面のない側の風向板により左右方向の外側に向けてイオンが送出されるため居住空間に充分な量のイオンを拡散させることができる。
【００１８】
例えば、左右に延びた第１溝に係合する第１係合子を風向板の前部に設け、前後に延びた第２溝に係合する第２係合子を風向板の後部に設けて風向板を摺動案内すれば、使用者が風向板の前端を把持して容易に風向板の向きを可変できる。また、風向板の前端は前後の位置が変化しないため開口部の前端に一致させて容易に把持できるとともに、風向板が向きを変えても開口部から突出して冷蔵庫の美観を損ねることがない。
【００１９】
また例えば、イオンの流通方向を徐々に左右方向に広げる複数の案内板を送風経路に設ければ、イオンがより確実に左右方向に広がって送風経路を流通する。
【００２０】
また例えば、複数の風向板を連結して連動させるリンク部材を設ければ、一の風向板を把持して向きを可変することにより他の風向板の向きも可変されるので使用性が向上する。
【００２１】
また本発明によると、開口部にイオンの送出方向を可変する風向板を設けたので、側方に壁面があっても壁面のある側の風向板の向きを変えて壁面に向かうイオンの送出を規制することができる。従って、壁面に沿って流通するイオンや壁面と衝突して消滅するイオンを低減するとともに、壁面のない側の風向板により左右方向の外側に向けてイオンを送出して居住空間内に充分な量のイオンを拡散させることができる。
【発明を実施するための最良の形態】
【００２２】
以下に本発明の実施形態を図面を参照して説明する。説明の便宜上、前述の図１２に示す従来例と同一の部分は同一の符号を付している。図１は第１実施形態の冷蔵庫を示す正面図である。冷蔵庫１は上部に冷蔵室２を有し、下部に野菜室３と冷凍室４とが左右に並設されている。冷蔵室２の上方には前面に開口部９（図２参照）を有するイオン送出ユニット２０が設けられている。
【００２３】
図２はイオン送出ユニット２０の側面断面図を示している。また、図３は図１のＡ−Ａ断面図を示している。イオン送出ユニット２０の背面側には後方から外気を取り入れる吸込口８が形成される。開口部９の後方には送風機６及び塵埃を捕集するフィルター７を内装したハウジング１７が配される。
【００２４】
図４はハウジング１７の正面断面図である。送風機６は吸気口６ａ（図３参照）から軸方向に吸気して排気口６ｂから周方向に排気するシロッコファンから成っている。イオン送出ユニット２０により居室内にイオンを送出できればよく、強い風力を必要としないため安価なシロッコファンを用いることができる。また、シロッコファンによってイオン送出ユニット２０を薄く構成することができる。
【００２５】
ハウジング１７の一方側方には吸込口８に連通する空気流入口１７ａが形成される。フィルター７は空気流入口１７ａの近傍に配置され、フィルター７の下方から送風機６の下面の吸気口６ａに空気が導かれるようになっている。送風機６の駆動によって空気流入口１７ａから流入する空気はフィルター７を上方から下方に通過し、吸気口６ａから送風機６に流入して排気口６ｂから排気される。
【００２６】
図２、図３において、イオン送出ユニット２０には送風機６の排気口６ｂから開口部９に向かって前方へ行くほど左右方向に広がった送風経路１１が設けられる。送風機６に近接した前方には送風経路１１にイオンを放出するイオン発生装置５が設けられている。
【００２７】
イオン発生装置５は電極（不図示）を有し、電極に高圧の交流電圧が印加されると、コロナ放電によって印加電圧が正電圧の場合は主としてＨ+(Ｈ2Ｏ)nから成るプラスイオンが生成され、負電圧の場合は主としてＯ2-(Ｈ2Ｏ)mから成るマイナスイオンが生成される。ここで、ｎ、ｍは整数である。
【００２８】
Ｈ+（Ｈ2Ｏ）n及びＯ2-(Ｈ2Ｏ)mは空気中の微生物等の浮遊細菌の表面で凝集し、微生物等の浮遊菌を取り囲む。そして、式（１）〜（３）に示すように、衝突によって活性種である［・ＯＨ］（水酸基ラジカル）やＨ2Ｏ2（過酸化水素）を微生物等の表面上で生成して浮遊菌の殺菌を行う。尚、ｎ'、ｍ'は整数である。
【００２９】
Ｈ+(Ｈ2Ｏ)n＋Ｏ2-(Ｈ2Ｏ)m→・ＯＨ＋1/2Ｏ2＋(n＋m)Ｈ2Ｏ ・・・（１）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ 2・ＯＨ＋Ｏ2＋(n＋n'＋m＋m')Ｈ2Ｏ ・・・（２）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ Ｈ2Ｏ2＋Ｏ2＋(n＋n'＋m＋m')Ｈ2Ｏ ・・・（３）
【００３０】
従って、居室内にプラスイオンとマイナスイオンとを送出することによって浮遊菌の殺菌を行うことができる。また、電極の印加電圧を制御して居室内にマイナスイオンを送出するとリラクゼーション効果を得ることができる。
【００３１】
開口部９の両端部にはイオンの送出方向を可変する風向板１２が設けられている。送風経路１１の上壁及び下壁には風向板１２を案内する案内溝１５が形成されている。図５は風向板１２を示す側面図である。風向板１２は前後に延びた板状に形成されており、前部にピン１２ａ（第１係合子）が上方向及び下方向に延びて突設され、後部にピン１２ｂ（第２係合子）が上方向及び下方向に延びて突設されている。ピン１２ａ、１２ｂに替えて回転自在のローラーを用いてもよい。また、ピン１２ａよりも前方に突出して使用者が把持する把持部１２ｃが設けられている。
【００３２】
図６、図７は風向板１２の動作を説明する平面図である。案内溝１５は平面視がＬ字型に形成され、左右方向に延びてピン１２ａと係合する第１溝１５ａと前後方向に延びてピン１２ｂと係合する第２溝１５ｂとを有している。風向板１２の把持部１２ｃを把持して左右方向に移動させると前方のピン１２ａが第１溝１５ａに摺動案内され、後方のピン１２ｂが第２溝１５ｂに摺動案内される。
【００３３】
更に詳しくは、前方のピン１２ａが開口部９の中央方向に移動すると後方のピン１２ｂが後方に移動する。前方のピン１２ａが開口部９の端部に向かう方向に移動すると後方のピン１２ｂが前方に移動する。これにより、各風向板１２の向きをそれぞれ手動で可変できるようになっている。また、把持部１２ｃの前後方向の位置が殆ど変化しないため、把持部１２ｃが開口部９の奥に配されて把持しにくくなることや開口部９から突出して美観を損ねることがない。
【００３４】
送風機６を駆動すると吸込口８からイオン送出ユニット２０内に外気が取り入れられ、フィルター７により塵埃が除去される。塵埃を除去した空気は吸気口６ａを介して送風機６に軸方向から流入して排気口６ｂから周方向に排気される。送風機６から排気された空気は送風経路１１内を左右方向に広がりながら流通する。
【００３５】
イオン発生装置５を駆動すると、送風経路１１内にイオンが放出される。これにより、送風経路１１を流通する空気にイオンが含まれる。図６に示すように、左右の風向板１２のピン１２ａをそれぞれ第１溝１５ａの外側の端部に配置すると、イオンを含んだ空気が開口部９から左右方向の外側に導かれる。
【００３６】
これにより、前述の図１２に示す従来例と同様に、イオンを含んだ空気が奥行の長い送風経路１１を左右に広がって流通し、更に開口部９から左右に広がって居室内に送出される。従って、充分な量のイオンを居室内に拡散して殺菌効果やリラクゼーション効果を得ることができる。
【００３７】
また、図３に示すように冷蔵庫１が一方側方を居室内の壁面Ｗに近接して配置される場合は、図中、矢印に示すようにイオンが送出される。即ち、図７に示すように、一方（左方）の風向板１２のピン１２ａを第１溝１５ａの中央側の端部に配置する。これにより、開口部９の左の端部から送出されるイオンを含んだ空気は正面に向けて導かれる。従って、壁面Ｗに沿って流通するイオンや壁面Ｗと衝突して消滅するイオンを低減するとともに、壁面Ｗのない側の風向板１２により左右方向の外側に向けてイオンが送出されるため居住空間に充分な量のイオンを拡散させることができる。
【００３８】
次に、図８、図９は第２実施形態の冷蔵庫１の風向板１２の動作を説明する平面図である。説明の便宜上、前述の図１〜図７に示す第１実施形態と同一の部分は同一の符号を付している。本実施形態は開口部９の両端に配される風向板１２の前部がリンク部材１６により回動自在に連結されている。その他の部分は第１実施形態と同一である。
【００３９】
図８に示すように冷蔵庫１が一方側方が居室内の壁面Ｗに近接して配置される場合は、前述の図７と同様に、一方（左方）の風向板１２のピン１２ａを第１溝１５ａの中央側の端部に配置する。これにより、開口部９の左の端部から送出されるイオンを含んだ空気は正面に向けて導かれる。
【００４０】
また、冷蔵庫１の側方に壁面がない場合は図９に示すように両端の風向板１２が開口部から左右方向の外側に空気を導くように配される。この時、リンク部材１６によって一方の風向板１２の向きを可変すると他方の風向板１２が連動して可変される。これにより、向きの可変操作を容易にすることができる。
【００４１】
尚、両端の風向板１２のなす角度を一方側方（左方）に壁面Ｗがある場合（図８参照）に第１実施形態（図７参照）と同じにすると、壁面がない場合（図９参照）に第１実施形態（図６参照）よりも狭くなる。このため、壁面がない場合に第１実施形態と同じ角度にして壁面がある場合に角度を第１実施形態よりも大きくしてもよい。
【００４２】
次に、図１０は第３実施形態の冷蔵庫のイオン送出ユニットを示す上面断面図である。説明の便宜上、前述の図１〜図７に示す第１実施形態と同一の部分は同一の符号を付している。本実施形態は、風向板１２の後方の送風経路１１内にイオンを含んだ空気を左右に広がるように案内する複数の案内板１８が設けられている。その他の部分は第１実施形態と同一である。
【００４３】
送風機６の排気口６ｂから送出される空気に含まれたイオンは前後方向に対して傾斜した案内板１８に沿って流通する。これにより、イオンがより確実に左右方向に広がって送風経路１１を流通し、開口部９から左右方向に広がって送出される。尚、第２実施形態と同様のリンク部材１６（図８参照）を設けてもよい。
【００４４】
次に、図１１は第４実施形態の冷蔵庫のイオン送出ユニットを示す上面断面図である。説明の便宜上、前述の図１０に示す第３実施形態と同一の部分は同一の符号を付している。本実施形態は、案内板１８（図１０参照）に替えて可動の風向板１９を送風経路１１の中央部に設けている。風向板１９は風向板１２の後方から開口部９に延びて設けられ、手で把持して向きを可変することができる。その他の部分は第３実施形態と同一である。
【００４５】
送風機６の排気口６ｂから送出される空気に含まれたイオンは風向板１９に沿って流通する。これにより、イオンがより確実に左右方向に広がって送風経路１１を流通し、開口部９から風向板１２、１９の案内により左右方向に広がって送出される。従って、イオンを含んだ空気の送出方向をよりきめ細かく設定することができる。尚、第２実施形態と同様のリンク部材１６（図８参照）によって両端の風向板１２を連結してもよく、風向板１２、１９を連結してもよい。
【００４６】
第１〜第４実施形態において、イオン発生装置５に接続してイオンを放出する電極を冷蔵室２内または野菜室３内に設けてもよい。これにより、部品点数の増加を抑制してイオン発生装置５により印加電圧を制御して冷蔵室２や野菜室３内の殺菌を行うことができる。
【図面の簡単な説明】
【００４７】
【図１】は、本発明の第１実施形態の冷蔵庫を示す正面図である。
【図２】は、本発明の第１実施形態の冷蔵庫のイオン送出ユニットを示す側面断面図である。
【図３】は、図１のＡ−Ａ断面図である。
【図４】は、本発明の第１実施形態の冷蔵庫のイオン送出ユニットに設けた送風機のハウジングを示す正面図である。
【図５】は、本発明の第１実施形態の冷蔵庫のイオン送出ユニットの風向板を示す側面図である。
【図６】は、本発明の第１実施形態の冷蔵庫のイオン送出ユニットの風向板の動作を示す平面図である。
【図７】は、本発明の第１実施形態の冷蔵庫のイオン送出ユニットの風向板の動作を示す平面図である。
【図８】は、本発明の第２実施形態の冷蔵庫のイオン送出ユニットの風向板の動作を示す平面図である。
【図９】は、本発明の第２実施形態の冷蔵庫のイオン送出ユニットの風向板の動作を示す平面図である。
【図１０】は、本発明の第３実施形態の冷蔵庫のイオン送出ユニットを示す上面断面図である。
【図１１】は、本発明の第４実施形態の冷蔵庫のイオン送出ユニットを示す上面断面図である。
【図１２】は、従来の冷蔵庫のイオン送出ユニットを示す上面断面図である。
【符号の説明】
【００４８】
１ 冷蔵庫
２ 冷蔵室
３ 野菜室
４ 冷凍室
５ イオン発生装置
６ 送風機
７ フィルター
８ 吸込口
９ 開口部
１１ 送風経路
１２、１９ 風向板
１２ａ、１２ｂ ピン（第１、第２係合子）
１２ｃ 把持部
１５ 案内溝
１５ａ 第１溝
１５ｂ 第２溝
１６ リンク部材
１８ 案内板
２０ イオン送出ユニット
【図１】
2008196844.tif 000003
【図２】
2008196844.tif 000004
【図３】
2008196844.tif 000005
【図４】
2008196844.tif 000006
【図５】
2008196844.tif 000007
【図６】
2008196844.tif 000008
【図７】
2008196844.tif 000009
【図８】
2008196844.tif 000010
【図９】
2008196844.tif 000011
【図１０】
2008196844.tif 000012
【図１１】
2008196844.tif 000013
【図１２】
2008196844.tif 000014